(57)【要約】      （修正有）【課題】ウェアラブルシステムおよびウェアラブルデバイスの操作方法を提供する。【解決手段】ウェアラブルシステム１００は、ウェアラブルデバイス１１０＿１と電子デバイス１３０＿１〜３を含む。ウェアラブルデバイスは、操作プログラム１１４とインセンティブ活動プログラム１１２を含む。ウェアラブルデバイスは、操作プログラム１１４を介して生理情報と身体活動情報を分析する。操作プログラム１１４は、第１数値を出力する。第１数値は、インセンティブ活動プログラムを実行するための第１報酬パラメータを含む。電子デバイスは、ウェアラブルデバイスとの送信を行う。電子デバイスは、報酬データと目標設定データを報酬システム１２２に出力する。報酬システムは、報酬データと目標設定データに基づいて第２数値を出力する。第２数値は、インセンティブ活動プログラムを実行するための第２報酬パラメータを含む。【選択図】図１Ａ
2019087230.tif 000002
【特許請求の範囲】
【請求項１】
操作プログラムおよびインセンティブ活動プログラムを含み、前記操作プログラムを介して生理情報および／または身体活動情報を分析し、前記操作プログラムが第１数値を出力し、前記第１数値が前記インセンティブ活動プログラムを実行するための第１報酬パラメータを含む少なくとも１つのウェアラブルデバイスと、
前記少なくとも１つのウェアラブルデバイスとの送信を行って、報酬データおよび／または目標設定データを報酬システムに出力し、前記報酬システムが前記報酬データおよび前記目標設定データに基づいて第２数値を出力し、前記第２数値が前記インセンティブ活動プログラムを実行するための第２報酬パラメータを含む少なくとも１つの電子デバイスと、
を含むウェアラブルシステム。
【請求項２】
前記少なくとも１つのウェアラブルデバイスが、分析エンジンを介して前記生理情報および／または前記身体活動情報を分析し、前記分析エンジンが、第３数値を出力し、前記第３数値が、前記インセンティブ活動プログラムを実行するための第３報酬パラメータを含む請求項１に記載のウェアラブルシステム。
【請求項３】
前記少なくとも１つのウェアラブルデバイスおよび前記少なくとも１つの電子デバイスと通信するクラウドサーバーをさらに含み、前記報酬システムが、前記クラウドサーバーまたは前記少なくとも１つの電子デバイスに配置される請求項２に記載のウェアラブルシステム。
【請求項４】
前記分析エンジンが、前記クラウドサーバーまたは前記少なくとも１つのウェアラブルデバイスに配置される請求項３に記載のウェアラブルシステム。
【請求項５】
前記報酬システムが、前記少なくとも１つの電子デバイスに配置され、前記分析エンジンが、前記少なくとも１つのウェアラブルデバイスに配置される請求項２に記載のウェアラブルシステム。
【請求項６】
前記インセンティブ活動プログラムが、少なくとも１つの属性を含む活動を含み、前記少なくとも１つの属性の第１部分が、前記第１数値に基づいて調整され、前記少なくとも１つの属性の第２部分が、前記第２数値に基づいて調整される請求項１に記載のウェアラブルシステム。
【請求項７】
操作プログラムおよびインセンティブ活動プログラムを含み、前記操作プログラムを介して生理情報および／または身体活動情報を分析し、前記操作プログラムが第１数値を出力し、前記第１数値が前記インセンティブ活動プログラムを実行するための第１報酬パラメータを含む少なくとも１つのウェアラブルデバイス。
【請求項８】
前記ウェアラブルデバイスが、分析エンジンをさらに含み、前記分析エンジンを介して前記生理情報および／または前記身体活動情報を分析し、前記分析エンジンが、第３数値を出力し、前記第３数値が、前記インセンティブ活動プログラムを実行するための第３報酬パラメータを含む請求項７に記載のウェアラブルデバイス。
【請求項９】
前記ウェアラブルデバイスが、少なくとも１つの電子デバイスとの送信を行い、前記少なくとも１つの電子デバイスが、報酬データおよび／または目標設定データを報酬システムに出力し、前記報酬システムが、前記報酬データおよび前記目標設定データに基づいて第２数値を出力し、前記第２数値が、前記インセンティブ活動プログラムを実行するための第２報酬パラメータを含む請求項８に記載のウェアラブルデバイス。
【請求項１０】
前記ウェアラブルデバイスが、クラウドサーバーと通信し、前記報酬システムが、前記クラウドサーバーまたは前記少なくとも１つの電子デバイスに配置された請求項９に記載のウェアラブルデバイス。
【請求項１１】
前記分析エンジンが、前記クラウドサーバーに配置された請求項１０に記載のウェアラブルデバイス。
【請求項１２】
前記報酬システムが、前記少なくとも１つの電子デバイスに配置され、前記分析エンジンが、前記ウェアラブルデバイスに配置された請求項９に記載のウェアラブルデバイス。
【請求項１３】
前記ウェアラブルデバイスが、少なくとも１つの電子デバイスとの送信を行い、前記少なくとも１つの電子デバイスが、報酬データおよび／または目標設定データを報酬システムに出力し、前記報酬システムが、前記報酬データおよび前記目標設定データに基づいて第２数値を出力し、前記第２数値が、前記インセンティブ活動プログラムを実行するための第２報酬パラメータを含む請求項７に記載のウェアラブルデバイス。
【請求項１４】
前記インセンティブ活動プログラムが、少なくとも１つの属性を含む活動を含み、前記少なくとも１つの属性の第１部分が、前記第１数値に基づいて調整され、前記少なくとも１つの属性の第２部分が、前記第２数値に基づいて調整される請求項７に記載のウェアラブルデバイス。
【請求項１５】
前記第１部分が、サイズ、形状、および活力のうちの少なくとも１つを含み、前記第２部分が、パワー、耐力、知力、速度、および装飾品のうちの少なくとも１つを含む請求項１４に記載のウェアラブルデバイス。
【請求項１６】
前記ウェアラブルデバイスが、前記インセンティブ活動プログラムに基づいて、他のウェアラブルデバイスとの競争活動および／または協力活動を実行する請求項７に記載のウェアラブルデバイス。
【請求項１７】
少なくとも１つのウェアラブルデバイスと通信し、
前記少なくとも１つのウェアラブルデバイスから生理情報および／または身体活動情報を受信して分析し、数値を出力する分析エンジンを含み、前記数値が、前記少なくとも１つのウェアラブルデバイスのインセンティブ活動プログラムを実行するための第１報酬パラメータを含むクラウドサーバー。
【請求項１８】
少なくとも１つの電子デバイスとさらに通信し、
前記少なくとも１つの電子デバイスから報酬データおよび／または目標設定データを受信するとともに、前記報酬データおよび／または前記目標設定データに基づいて別の数値を出力する報酬システムを含み、前記別の数値が、前記少なくとも１つのウェアラブルデバイスの前記インセンティブ活動プログラムを実行するための第２報酬パラメータを含む請求項１７に記載のクラウドサーバー。
【請求項１９】
少なくとも１つの電子デバイスおよび少なくとも１つのウェアラブルデバイスと通信し、
前記少なくとも１つの電子デバイスから報酬データおよび／または目標設定データを受信するとともに、前記報酬データおよび／または前記目標設定データに基づいて数値を出力する報酬システムを含み、前記数値が、前記少なくとも１つのウェアラブルデバイスのインセンティブ活動プログラムを実行するための報酬パラメータを含むクラウドサーバー。
【請求項２０】
操作プログラムおよびインセンティブ活動プログラムを含むウェアラブルデバイスの操作方法であって、
前記操作プログラムを介して生理情報および／または身体活動情報を分析し、第１数値を出力することを含み、前記第１数値が、前記インセンティブ活動プログラムを実行するための第１報酬パラメータを含むウェアラブルデバイスの操作方法。
【請求項２１】
分析エンジンを介して前記生理情報および／または前記身体活動情報を分析し、第３数値を出力することをさらに含み、前記第３数値が、前記インセンティブ活動プログラムを実行するための第３報酬パラメータを含む請求項２０に記載のウェアラブルデバイスの操作方法。
【請求項２２】
少なくとも１つの電子デバイスとの送信を行って、前記少なくとも１つの電子デバイスから第２数値を受信することをさらに含み、前記少なくとも１つの電子デバイスが、報酬データおよび／または目標設定データを報酬システムに出力し、前記報酬システムが、前記報酬データおよび前記目標設定データに基づいて第２数値を出力し、前記第２数値が、前記インセンティブ活動プログラムを実行するための第２報酬パラメータを含む請求項２１に記載のウェアラブルデバイスの操作方法。
【請求項２３】
クラウドサーバーと通信することをさらに含み、前記報酬システムが、前記クラウドサーバーまたは前記少なくとも１つの電子デバイスに配置された請求項２２に記載のウェアラブルデバイスの操作方法。
【請求項２４】
前記分析エンジンが、前記クラウドサーバーまたは前記少なくとも１つのウェアラブルデバイスに配置された請求項２３に記載のウェアラブルデバイスの操作方法。
【請求項２５】
前記報酬システムが、前記少なくとも１つの電子デバイスに配置され、前記分析エンジンが、前記少なくとも１つのウェアラブルデバイスに配置された請求項２４に記載のウェアラブルデバイスの操作方法。
【請求項２６】
前記インセンティブ活動プログラムが、少なくとも１つの属性を含む活動を含み、前記  ウェアラブルデバイスの前記操作方法が、さらに、
前記第１数値に基づいて前記少なくとも１つの属性の第１部分を調整することと、および／または、
前記第２数値に基づいて前記少なくとも１つの属性の第２部分を調整することと、
を含む請求項２２に記載のウェアラブルデバイスの操作方法。
【発明の詳細な説明】
【技術分野】
【０００１】
本発明は、ウェアラブルシステム、そのウェアラブルデバイスおよびクラウドサーバー、およびウェアラブルデバイスの操作方法に関するものである。
【背景技術】
【０００２】
科学技術産業の発展に伴い、電子デバイスの種類、機能、および使用法がますます多様化された。同時に、電子デバイスがさらに軽薄化されて、電子デバイスを携帯しやすくなったため、電子デバイスの普及が加速している。近年、携帯式電子デバイスの便利性をさらに上げるため、ユーザーの身体に直接装着することのできるウェアラブル（wearable）電子デバイスが数多く開発されている。その応用は、大人や学齢児童の身体に装着する電子デバイスを含む。このようなウェアラブルデバイスは、児童や大人の位置を追跡および特定するとともに、児童や大人の生理情報を提供することができる。
【０００３】
そのため、身体に装着した電子デバイスを利用することによって、大人や学齢またはその他の年齢の子供のライフスタイル、健康状態等の改善をいかにして促進するかが、重要な課題の１つとなっている。
【発明の概要】
【発明が解決しようとする課題】
【０００４】
本発明は、ウェアラブルシステム、そのウェアラブルデバイスおよびクラウドサーバー、およびウェアラブルデバイスの操作方法を提供する。ウェアラブルデバイスは、ユーザーのライフスタイルおよび健康状態の改善を促進することができ、且つ他の計画された項目（特定の学習または能力の進歩等）を達成するよう、例えば、ユーザーが楽しく学習できるよう、ユーザーを励ますことができる。
【課題を解決するための手段】
【０００５】
本発明のウェアラブルシステムは、操作（operation）プログラムおよびインセンティブ（incentive）活動プログラムを含む少なくとも１つのウェアラブルデバイスを含む。少なくとも１つのウェアラブルデバイスは、操作プログラムを介して生理情報および／または身体活動情報を分析し、操作プログラムは、第１数値を出力する。第１数値は、インセンティブ活動プログラムを実行するための第１報酬パラメータを含む。そして、少なくとも１つのウェアラブルデバイスとの送信を行って、報酬データおよび／または目標設定データを報酬システムに出力する少なくとも１つの電子デバイスを含む。報酬システムは、報酬データおよび目標設定データに基づいて第２数値を出力する。第２数値は、インセンティブ活動プログラムを実行するための第２報酬パラメータを含む。
【０００６】
本発明の１つの実施形態において、少なくとも１つのウェアラブルデバイスは、分析エンジンを介して生理情報および／または身体活動情報を分析し、分析エンジンは、第３数値を出力する。第３数値は、インセンティブ活動プログラムを実行するための第３報酬パラメータを含む。
【０００７】
本発明の１つの実施形態において、ウェアラブルシステムは、さらに、少なくとも１つのウェアラブルデバイスおよび少なくとも１つの電子デバイスと通信するクラウドサーバーを含み、報酬システムは、クラウドサーバーまたは少なくとも１つの電子デバイスに配置される。
【０００８】
本発明の１つの実施形態において、分析エンジンは、クラウドサーバーまたは少なくとも１つのウェアラブルデバイスに配置される。
【０００９】
本発明の１つの実施形態において、報酬システムは、少なくとも１つの電子デバイスに配置され、分析エンジンは、少なくとも１つのウェアラブルデバイスに配置される。
【００１０】
本発明の１つの実施形態において、インセンティブ活動プログラムは、活動を含む。活動は、少なくとも１つの属性を含む。少なくとも１つの属性の第１部分は、第１数値に基づいて調整され、少なくとも１つの属性の第２部分は、第２数値に基づいて調整される。
【００１１】
本発明のウェアラブルデバイスは、操作プログラムおよびインセンティブ活動プログラムを含む。ウェアラブルデバイスは、操作プログラムを介して生理情報および／または身体活動情報を分析し、操作プログラムは、第１数値を出力する。第１数値は、インセンティブ活動プログラムを実行するための第１報酬パラメータを含む。
【００１２】
本発明の１つの実施形態において、ウェアラブルデバイスは、さらに、分析エンジンを含む。ウェアラブルデバイスは、分析エンジンを介して生理情報および／または身体活動情報を分析し、分析エンジンは、第３数値を出力する。第３数値は、インセンティブ活動プログラムを実行するための第３報酬パラメータを含む。
【００１３】
本発明の１つの実施形態において、ウェアラブルデバイスは、少なくとも１つの電子デバイスとの送信を行う。少なくとも１つの電子デバイスは、報酬データおよび／または目標設定データを報酬システムに出力する。報酬システムは、報酬データおよび目標設定データに基づいて第２数値を出力する。第２数値は、インセンティブ活動プログラムを実行するための第２報酬パラメータを含む。
【００１４】
本発明の１つの実施形態において、ウェアラブルデバイスは、クラウドサーバーと通信する。報酬システムは、クラウドサーバーまたは少なくとも１つの電子デバイスに配置される。
【００１５】
本発明の１つの実施形態において、分析エンジンは、クラウドサーバーに配置される。
【００１６】
本発明の１つの実施形態において、報酬システムは、少なくとも１つの電子デバイスに配置され、分析エンジンは、ウェアラブルデバイスに配置される。
【００１７】
本発明の１つの実施形態において、インセンティブ活動プログラムは、活動を含む。活動は、少なくとも１つの属性を含む。少なくとも１つの属性の第１部分は、第１数値に基づいて調整され、少なくとも１つの属性の第２部分は、第２数値に基づいて調整される。
【００１８】
本発明の１つの実施形態において、第１部分は、サイズ、形状、および活力（vigor）のうちの少なくとも１つを含み、第２部分は、パワー、耐力、知力、速度、および装飾品のうちの少なくとも１つを含む。
【００１９】
本発明の１つの実施形態において、ウェアラブルデバイスは、インセンティブ活動プログラムに基づいて、他のウェアラブルデバイスとの競争活動および／または協力活動を実行する。
【００２０】
本発明のクラウドサーバーは、少なくとも１つのウェアラブルデバイスと通信する。クラウドサーバーは、少なくとも１つのウェアラブルデバイスから生理情報および／または身体活動情報を受信して分析し、数値を出力する分析エンジンを含む。数値は、少なくとも１つのウェアラブルデバイスのインセンティブ活動プログラムを実行するための第１報酬パラメータを含む。
【００２１】
本発明の１つの実施形態において、少なくとも１つの電子デバイスと通信するクラウドサーバーは、さらに、少なくとも１つの電子デバイスから報酬データおよび／または目標設定データを受信するとともに、報酬データおよび／または目標設定データに基づいて別の数値を出力する報酬システムを含む。別の数値は、少なくとも１つのウェアラブルデバイスのインセンティブ活動プログラムを実行するための第２報酬パラメータを含む。
【００２２】
本発明のクラウドサーバーは、少なくとも１つの電子デバイスおよび少なくとも１つのウェアラブルデバイスと通信する。クラウドサーバーは、少なくとも１つの電子デバイスから報酬データおよび／または目標設定データを受信するとともに、報酬データおよび／または目標設定データに基づいて数値を出力する報酬システムを含む。数値は、少なくとも１つのウェアラブルデバイスのインセンティブ活動プログラムを実行するための報酬パラメータを含む。
【００２３】
本発明の１つの実施形態において、操作プログラムおよびインセンティブ活動プログラムを含むウェアラブルデバイスの操作方法を提供する。ウェアラブルデバイスの操作方法は、操作プログラムを介して生理情報および／または身体活動情報を分析し、第１数値を出力することを含む。第１数値は、インセンティブ活動プログラムを実行するための第１報酬パラメータを含む。
【００２４】
本発明の１つの実施形態において、ウェアラブルデバイスの操作方法は、分析エンジンを介して生理情報および／または身体活動情報を分析し、第３数値を出力することを含む。第３数値は、インセンティブ活動プログラムを実行するための第３報酬パラメータを含む。
【００２５】
本発明の１つの実施形態において、ウェアラブルデバイスの操作方法は、さらに、少なくとも１つの電子デバイスとの送信を行って、少なくとも１つの電子デバイスから第２数値を受信することを含む。少なくとも１つの電子デバイスは、報酬データおよび／または目標設定データを報酬システムに出力し、報酬システムは、報酬データおよび目標設定データに基づいて第２数値を出力する。第２数値は、インセンティブ活動プログラムを実行するための第２報酬パラメータを含む。
【００２６】
本発明の１つの実施形態において、ウェアラブルデバイスの操作方法は、さらに、クラウドサーバーと通信することを含む。報酬システムは、クラウドサーバーまたは少なくとも１つの電子デバイスに配置される。
【００２７】
本発明の１つの実施形態において、分析エンジンは、クラウドサーバーまたは少なくとも１つのウェアラブルデバイスに配置される。
【００２８】
本発明の１つの実施形態において、報酬システムは、少なくとも１つの電子デバイスに配置され、分析エンジンは、少なくとも１つのウェアラブルデバイスに配置される。
【００２９】
本発明の１つの実施形態において、インセンティブ活動プログラムは、活動を含む。活動は、少なくとも１つの属性を含む。ウェアラブルデバイスの操作方法は、さらに、第１数値に基づいて少なくとも１つの属性の第１部分を調整することと；および／または、第２数値に基づいて少なくとも１つの属性の第２部分を調整することを含む。
【発明の効果】
【００３０】
本発明のウェアラブルシステム、そのウェアラブルデバイスおよびクラウドサーバー、およびウェアラブルデバイスの操作方法は、身体に装着した電子デバイスを利用することによって、大人や学齢またはその他の年齢の子供のライフスタイル、健康状態の改善を促進することができる。
【図面の簡単な説明】
【００３１】
添付図面は、本発明の原理がさらに理解されるために含まれており、本明細書に組み込まれ、且つその一部を構成するものである。図面は、本発明の実施形態を例示しており、説明とともに、本発明の原理を説明する役割を果たしている。
【００３２】
【図１】図１Ａは、本発明の１つの実施形態に係るウェアラブルシステムの概略図を示したものである。図１Ｂは、本発明の１つの実施形態に係るウェアラブルシステムの概略図を示したものである。図１Ｃは、本発明の１つの実施形態に係るウェアラブルシステムの概略図を示したものである。図１Ｄは、本発明の１つの実施形態に係るウェアラブルシステムの概略図を示したものである。
【図２】図１Ａに示した実施形態に係るウェアラブルデバイスおよび電子デバイスの内部の概略図を示したものである。
【図３】本発明の１つの実施形態に係る複数のウェアラブルデバイスと電子デバイスの間の相互作用の概略図を示したものである。
【図４】本発明の別の実施形態に係る複数のウェアラブルデバイスと電子デバイスの間の相互作用の概略図を示したものである。
【図５】図１Ａに示した実施形態に係るウェアラブルデバイス、クラウドサーバー、および電子デバイスの内部の概略図を示したものである。
【図６】図１Ａに示した実施形態に係るインセンティブ活動プログラムおよびその報酬データの概略図を示したものである。
【図７】本発明の１つの実施形態に係るインセンティブ活動プログラムの概略図を示したものである。
【図８】本発明の別の実施形態に係るインセンティブ活動プログラムの概略図を示したものである。
【図９】本発明の１つの実施形態に係るウェアラブルデバイスの操作方法のフローチャートを示したものである。
【発明を実施するための形態】
【００３３】
本発明の１つの実施形態において、ウェアラブルデバイスのユーザーは、例えば、子供であってもよい。しかしながら、本発明のウェアラブルデバイスのユーザーは、これに限定されない。以下、いくつかの実施例を用いて、本発明のウェアラブルシステム、本発明のウェアラブルデバイス、およびそのクラウドサーバーおよび操作方法について説明する。
【００３４】
図１Ａは、本発明の１つの実施形態に係るウェアラブルシステムの概略図を示したものである。図１Ａを参照すると、本実施形態のウェアラブルシステム１００は、ウェアラブルデバイス１１０＿１、クラウドサーバー１２０、および電子デバイス１３０＿１、１３０＿２、および１３０＿３を含む。ウェアラブルデバイス１１０＿１および電子デバイス１３０＿１、１３０＿２、および１３０＿３は、クラウドサーバー１２０と無線通信して、データのアクセスおよび交換を行う。
【００３５】
本実施形態において、ウェアラブルデバイス１１０＿１は、インセンティブ活動プログラム１１２、操作プログラム１１４、センサーモジュール１１６、および無線通信モジュール１１８を含む。ウェアラブルデバイス１１０＿１のユーザーは、例えば、大人または学齢児童（学生）を含む。センサーモジュール１１６は、加速度計（accelerometer; G sensor）、ジャイロセンサー（Gyro sensor）、および磁界センサー（M sensor）等の少なくとも１つのセンサーを含む。本実施形態において、センサーモジュール１１６は、様々な生理情報および／または身体活動情報を検出し、生理情報は、睡眠時間、心拍等の情報を含み、身体活動情報は、歩数、ランニング、自転車等のスポーツ情報等、およびカロリー燃焼、フィットネス指標等の情報を含む。しかしながら、センサーの種類、生理情報、および身体活動情報は、これに限定されない。
【００３６】
本実施形態において、ウェアラブルデバイス１１０＿１は、無線通信モジュール１１８を利用して、クラウドサーバー１２０および電子デバイス１３０＿１、１３０＿２、および１３０＿３と通信し、データのアクセスおよび交換を行う。無線通信モジュール１１８は、例えば、４Ｇ（fourth generation）移動通信技術モジュール、無線ＬＡＮ（Ｗｉ−Ｆｉ）技術モジュール、またはブルートゥース（Bluetooth）通信技術モジュールを含む。本実施形態において、インセンティブ活動プログラム１１２は、例えば、ペットゲームプログラムまたはレーシングゲームプログラム等のゲームプログラムを含む。１つの実施形態において、インセンティブ活動プログラム１１２は、他の様々な活動プログラム、例えば、ヘルスセンターの様々な健康改善コースを提供することのできるヘルスプログラムであってもよい。しかしながら、本発明の無線通信モジュールおよびインセンティブ活動プログラムの種類は、これに限定されない。
【００３７】
本実施形態において、クラウドサーバー１２０は、ファームウェア更新サービス１２１、報酬システム１２２、データソースポータル（data source portal）１２３、保存装置１２４、ユーザーポータル（user portal）１２６、および分析エンジン１２８を含む。本実施形態において、操作プログラム１１４は、例えば、スポーツおよび健康を検出するための操作プログラムを含み、操作プログラム１１４により、生理情報および／または身体活動情報の演算分析を実行することができる。本実施形態において、演算分析の結果は、第１数値を含んでもよい。第１数値は、健康報酬パラメータ等の第１報酬パラメータを含み、ポイント（point）、成績（score）、または重み（weight）等の数値によってパラメータを判断または表示することができる。本実施形態において、分析エンジン１２８は、例えば、ウェアラブルデバイス１１０＿１から得られた生理情報および／または身体活動情報に対して演算分析またはディープラーニング（deep learning）を行って、ユーザーの行為および／または生活習慣を分析および予測し、長期追跡の分析結果を出力する。ファームウェア更新サービス１２１は、例えば、ＦＯＴＡ（Firmware Over-The-Air）サービスを含み、ＦＯＴＡは、無線通信を用いたオンラインでウェアラブルデバイス１１０＿１のファームウェア／ソフトウェアをアップグレードまたは更新（例えば、インセンティブ活動プログラム１１２を更新）することができるモバイル機器ソフトウェア管理である。しかしながら、本発明のファームウェア更新サービスは、これに限定されない。１つの実施形態において、操作プログラム１１４を用いて、分析エンジン１２８をウェアラブルシステム１００またはクラウドサーバー１２０に配置された演算分析プログラムに統合してもよい。
【００３８】
本実施形態において、データソースポータル１２３は、例えば、出力／入力インターフェースとして機能し、ウェアラブルデバイス１１０＿１に第１データを送信するために使用される。第１データは、例えば、報酬パラメータ（例えば、報酬ポイント）、インセンティブ活動データ、目標設定データ、およびウェアラブルデバイス１１０＿１のユーザーの様々な生理情報および／または身体活動情報を含むことができる（ただし、本発明はこれに限定されない）。生理情報および／または身体活動情報は、上述した通りである。ユーザーポータル１２６は、例えば、別の出力／入力インターフェースとして機能し、電子デバイス１３０＿１、１３０＿２、および１３０＿３に第２データを送信するために使用される。第２データは、報酬データ、目標設定データ、インセンティブ活動データ、および／または分析エンジン１２８によって提供された分析結果を含む（ただし、本発明はこれに限定されない）。１つの実施形態において、クラウドサーバー１２０を介さずに、第１データおよび第２データを電子デバイス１３０＿１、１３０＿２、および１３０＿３からウェアラブルデバイス１１０＿１に直接送信してもよい。本実施形態において、保存装置１２４は、他の装置からクラウドサーバー１２０が受信したデータを保存するために使用され、ディープラーニングデータベースを含んでもよい。
【００３９】
１つの実施形態において、電子デバイス１３０＿１、１３０＿２、および１３０＿３は、例えば、携帯電話、タブレット、ノートパソコン、およびスマートウォッチ等の携帯型電子デバイスである。１つの実施形態において、電子デバイス１３０＿１、１３０＿２、および１３０＿３は、例えば、デスクトップパソコン等の非携帯型電子デバイスである。本発明の電子デバイスの種類は、これに限定されず、各電子デバイスの種類は、同じであっても、異なっていてもよい。
【００４０】
本実施形態において、電子デバイス１３０＿１は、例えば、ユーザーポータル１２６を介して報酬データおよび目標設定データを保存装置１２４に保存し、その後、クラウドサーバー１２０の報酬システム１２２にデータを送信する。電子デバイス１３０＿１は、ユーザーポータル１２６を介して分析エンジン１２８の分析結果を受信してもよい。報酬システム１２２は、報酬データおよび目標設定データに基づいて第２数値を計算し、出力する。第２数値は、報酬ポイント等の第２報酬パラメータを含む。報酬データおよび目標設定データは、例えば、１つまたはそれ以上の所定のルールを含む。例えば、目標を毎日３０分の運動として設定し、報酬データは、ある特定のスポーツの成績によって得られる１つのスポーツメダル、および３つのスポーツメダルに対して発行される１つの報酬ポイントを含むことができる。報酬システム１２２は、子供の学習状況および学校の成績に基づいて、第２報酬パラメータ（例えば、報酬ポイント）を計算することができる。次に、報酬システム１２２は、報酬パラメータを保存装置１２４に保存し、その後、データーソースポータル１２３を介してウェアラブルデバイス１１０＿１のインセンティブ活動プログラム１１２に報酬パラメータを送信する。インセンティブ活動プログラム１１２の活動属性は、第１数値または第１報酬パラメータ（例えば、健康報酬パラメータ）および／または第２数値または第２報酬パラメータ（例えば、報酬ポイント）に応じて変更することができる。そのため、報酬ポイントまたは健康報酬パラメータが刺激となり、生活習慣、健康状態（例えば、運動形態）、または学校の学習を変えて、良いインセンティブ活動の条件または属性を取得し、インセンティブ活動に従事するよう（例えば、ゲームプログラムを例に挙げると、良いゲームの条件を取得してゲームで遊ぶよう）ウェアラブルデバイス１１０＿１のユーザー（例えば、子供）を促す、または導く。面白いだけでなく、ウェアラブルデバイスは、学習啓発でもあり、子供が良い習慣を身に付けて、逞しい体を作り上げるのに役立つ（自発運動および十分な睡眠等）。１つの実施形態において、報酬データおよび目標設定データは、ウェアラブルデバイス１１０＿２および１１０＿３のユーザー（すなわち、子供の父親および／または母親）が設定してもよい。しかしながら、本発明はこれに限定されない。また、第２報酬ポイントまたは健康報酬パラメータ等の情報をフィードバックすることによって、生活習慣、健康状態（例えば、運動形態）、または学校の学習等の自身の特徴を調整するようウェアラブルデバイス１１０＿１のユーザーを促してもよい。そのため、ウェアラブルデバイス１１０＿１は、ユーザーが健康的に成長し、よい生活習慣を身に付ける、または学習目標を達成するのに役立つ。つまり、ウェアラブルデバイス１１０＿１のユーザーは、生活習慣、健康状態（例えば、運動形態）、または学習等の自身の特徴を調整することによって、第１数値（例えば、健康報酬パラメータ）および／または第２数値（例えば、報酬ポイント）を取得する。
【００４１】
図１Ｂは、本発明の１つの実施形態に係るウェアラブルシステムの概略図を示したものである。図１Ｂを参照すると、本実施形態のウェアラブルシステム２００は、図１Ａの実施形態のウェアラブルシステム１００と類似する。これらの主な相違点は、例えば、電子デバイス２３０＿１が報酬システム１２２を含むことである。本実施形態において、報酬システム１２２は、小型化され、電子デバイス２３０＿１の中に配置される。
【００４２】
図１Ｃは、本発明の１つの実施形態に係るウェアラブルシステムの概略図を示したものである。図１Ｃを参照すると、本実施形態のウェアラブルシステム３００は、図１Ａの実施形態のウェアラブルシステム１００と類似する。これらの主な相違点は、例えば、ウェアラブルデバイス１１０＿１が分析エンジン１２８を含むことである。本実施形態において、分析エンジン１２８は、小型化され、ウェアラブルデバイス１１０＿１の中に配置される。
【００４３】
図１Ｄは、本発明の１つの実施形態に係るウェアラブルシステムの概略図を示したものである。図１Ｄを参照すると、本実施形態のウェアラブルシステム４００は、図１Ｂの実施形態のウェアラブルシステム２００または図１Ｃの実施形態のウェアラブルシステム３００と類似する。これらの主な相違点は、例えば、ウェアラブルデバイス４００がクラウドサーバーを含まないことである。本実施形態において、子供のウェアラブルデバイス１１０＿１は、クラウドサーバーを介さずに、電子デバイス２３０＿１、２３０＿２、および２３０＿３と様々なデータを直接交換する。
【００４４】
図２は、図１Ａに示した実施形態に係るウェアラブルデバイスおよび電子デバイスの内部の概略図を示したものである。図１Ａおよび図２を参照すると、本実施形態において、ウェアラブルデバイス１１０＿１は、さらに、第１保存装置１１１および第２保存装置１１３を含む。インセンティブ活動プログラム１１２は、プログラムエンジン１１５を含む。プログラムエンジン１１５は、インセンティブ活動プログラムを実行するシステムである。第１保存装置１１１は、ウェアラブルデバイス１１０＿１のユーザーの生理情報および／または身体活動情報を保存するために使用される。第２保存装置１１３は、インセンティブ活動プログラム１１２のインセンティブ活動データを保存するために使用される。例えば、インセンティブ活動プログラム１１２がゲームプログラムの時、インセンティブ活動データは、例えば、ウェアラブルデバイス１１０＿１のユーザーが遊ぶゲームに関する様々な情報（例えば、画像ファイルまたは属性を含む）を含むが、本発明はこれに限定されない。プログラムエンジン１１５は、第１保存装置１１１からユーザーの生理情報および／または身体活動情報にアクセスして、インセンティブ活動プログラム１１２のパラメータとして使用してもよい。本発明は、ウェアラブルデバイス１１０＿１の保存装置の数（１つのみを含む）、種類、および保存方法を限定しない。
【００４５】
本実施形態において、操作プログラム１１４は、センサーモジュール１１６から感知したデータ、すなわち生理情報および／または身体活動情報を受信する。生理情報および／または身体活動情報は、例えば、上述した生理情報および／または身体活動情報である。また、操作プログラム１１４は、ユーザーのジェスチャー（gesture）（クリック、振動、およびその他のジェスチャーを含む）に応じて、インセンティブ活動プログラム１１２に対応する操作制御イベントまたはデータを計算してもよい。操作プログラム１１４は、生理情報および身体活動情報およびその操作結果を第１保存装置１１１に保存する。ペットゲームプログラムを例に挙げると、子供は、指を使ってウェアラブルデバイス１１０＿１のタッチクリーンを触り、ペットの活力や成長状態等のペットの状態を確認する、またはペットと対話することができる。１つの実施形態において、操作プログラム１１４は、目標設定データ、生理情報および／または身体活動情報に基づいて第１数値を取得し、その後、第１数値および／またはその他の報酬パラメータに基づいて、インセンティブ活動プログラム１１２を実行することができる。目標設定データは、目標パラメータ等であってもよく、装置によって予め設定されるか、教師や親によって提供される。目標設定データは、ウェアラブルデバイス１１０＿１に保存しても、または報酬システム１２２に保存してもよい。
【００４６】
本実施形態において、電子デバイス１３０＿２を例に挙げると、電子デバイス１３０＿２は、インセンティブ活動プログラム１１２および無線通信モジュール１３８を含む。本実施形態において、子供の父親または母親は、電子デバイス１３０＿２のインセンティブ活動プログラム１１２を介して子供と対話することもできる。本実施形態において、電子デバイス１３０＿２は、無線通信モジュール１３８を利用して、クラウドサーバー１２０、ウェアラブルデバイス１１０＿１、および電子デバイス１３０＿１および１３０＿３と無線通信して、データのアクセスおよび交換を行う。無線通信モジュール１３８は、例えば、４Ｇ移動通信技術モジュール、無線ＬＡＮ技術モジュール、またはブルートゥース通信技術モジュールを含む。電子デバイス１３０＿１および１３０＿３の内部構造は、電子デバイス１３０＿２から類推することができる。
【００４７】
本実施形態において、図２は、さらに、ウェアラブルデバイス１１０＿２を示すが、これは、ウェアラブルシステム１００が１つまたはそれ以上のウェアラブルデバイスを含んでもよいことを示している。ウェアラブルシステム１００において、ウェアラブルデバイス１１０＿１は、電子デバイス１３０＿１、１３０＿２、および１３０＿３と相互作用する他に、別のウェアラブルデバイス１１０＿２とも相互作用し、通信することができる。ウェアラブルデバイス１１０＿２の内部構造は、ウェアラブルデバイス１１０＿１から類推することができる。
【００４８】
図３は、本発明の１つの実施形態に係る複数のウェアラブルデバイスと電子デバイスの間の相互作用（interaction）の概略図を示したものである。図３を参照すると、本実施形態において、インセンティブ活動プログラムは、例えば、レーシングゲームプログラムであるが、ペットゲームまたは他のプログラムであってもよく、本発明はこれに限定されない。ウェアラブルデバイス１１０＿１および１１０＿２と電子デバイス１３０＿１、１３０＿２、および１３０＿３は、レーシングゲーム中で競争することができる。１つの実施形態において、電子デバイス１３０＿１、１３０＿２、および１３０＿３が参加せずに、複数のウェアラブルデバイス間の相互作用によりゲームモードを実行してもよい。しかしながら、本発明はこれに限定されない。
【００４９】
図４は、本発明の別の実施形態に係る複数のウェアラブルデバイスと電子デバイスの間の相互作用の概略図を示したものである。図４を参照すると、本実施形態において、インセンティブ活動プログラムは、例えば、レーシングゲームプログラムであるが、ペットゲームまたは他のプログラムであってもよく、本発明はこれに限定されない。ウェアラブルデバイス１１０＿１および１１０＿２と電子デバイス１３０＿１、１３０＿２、および１３０＿３は、レーシングゲーム中で協力し、チームの任務を達成することができる。１つの実施形態において、電子デバイス１３０＿１、１３０＿２、および１３０＿３が参加せずに、複数のウェアラブルデバイス間の相互作用によりゲームモードを実行してもよい。しかしながら、本発明はこれに限定されない。
【００５０】
そのため、図３および図４の実施形態において、ウェアラブルデバイス１１０＿１および１１０＿２と電子デバイス１３０＿１、１３０＿２、および１３０＿３は、クラウドサーバー１２０を介して対話型データを交換してもよく、あるいはウェアラブルデバイス１１０＿１および１１０＿２と電子デバイス１３０＿１、１３０＿２、および１３０＿３は、対話型データを直接交換してもよい。本発明の対話型データの交換方法は、これに限定されない。インセンティブ活動プログラムの競争活動（図３）および／または協力活動（図４）は、インセンティブデータに基づいて実行することができる。インセンティブデータは、インセンティブ活動プログラム１１２および／またはインセンティブ活動データを含む。
【００５１】
図５は、図１Ａに示した実施形態に係るウェアラブルデバイス、クラウドサーバー、および電子デバイスの内部の概略図を示したものである。図１Ａおよび図５を参照すると、本実施形態の報酬システム１２２は、報酬論理ブロック１２５を含む。本実施形態において、ユーザーポータル１２６によって電子デバイス１３０＿１、１３０＿２、および１３０＿３から受信した報酬データ、目標設定データ、およびインセンティブ活動データは、保存装置１２４に送信して、そこに保存してもよい。そして、報酬論理ブロック１２５は、保存装置１２４から報酬データおよび目標設定データにアクセスする。あるいは、ユーザーポータル１２６から報酬論理ブロック１２５にデータを直接送信する。本実施形態において、報酬論理ブロック１２５は、報酬データおよび目標設定データに基づいて操作を行い、その操作結果を、第２報酬パラメータ（例えば、報酬ポイント）を含む第２数値に変換する。本実施形態において、電子デバイス１３０＿１、１３０＿２、および１３０＿３は、ユーザーポータル１２６を介して分析エンジン１２８の分析結果を受信してもよい。本実施形態において、データソースポータル１２３がウェアラブルデバイス１１０＿１から受信した生理情報および／または身体活動情報、およびインセンティブ活動データは、保存装置１２４に送信して、そこに保存してもよい。本実施形態において、分析エンジン１２８は、ディープラーニングによってウェアラブルデバイス１１０＿１から受信した様々なデータを分析する。生成された分析結果は、保存装置１２４に送信して、そこに保存してもよい。報酬論理ブロック１２５は、その分析結果にアクセスして、第３報酬パラメータ（例えば、報酬ポイント）を含む第３数値を計算する。例えば、報酬論理ブロック１２５は、１日３０分間のランニングを１ヶ月継続して行ったユーザーに１つの報酬ポイントを与える。ウェアラブルデバイス１１０＿１のインセンティブ活動プログラム１１２は、第２および第３報酬ポイントを読み出すことができる。
【００５２】
本実施形態において、電子デバイス１３０＿１および１３０＿２を例に挙げて説明すると、電子デバイス１３０＿１および１３０＿２のそれぞれは、データ閲覧および設定プログラム１３４を含む。本実施形態において、子供の父親または母親は、データ閲覧および設定プログラム１３４を介して、ウェアラブルデバイス１１０＿１のインセンティブ活動プログラム１１２の状態を知ることと設定を調整することができる。
【００５３】
図６は、図１Ａに示した実施形態に係るインセンティブ活動プログラムおよびその報酬データの概略図を示したものである。図１Ａおよび図６を参照すると、本実施形態において、分析エンジン１２８は、例えば、生理情報および／または身体活動情報をディープラーニングして目標設定データ３３０と結合させることにより、分析結果３４０を生成する。そして、報酬論理ブロック１２５がアクセスできるよう、分析結果３４０を保存装置１２４に送信する。本実施形態において、報酬論理ブロック１２５は、報酬データ３２０および目標設定データ３３０（例えば、目標パラメータ）等の様々な参考データに基づいて操作を行い、第２数値（例えば、報酬ポイント）を含む操作結果をプログラムエンジン１１５に送信する。本実施形態において、インセンティブ活動プログラム１１２は、活動を含む。活動は、少なくとも１つの属性を含む。本実施形態において、プログラムエンジン１１５は、生理情報および／または身体活動情報３１０、および報酬論理ブロック１２５から受信したデータに基づいてインセンティブ活動の属性を表示するようインセンティブ活動プログラム１１２を駆動する。本実施形態において、プログラムエンジン１１５が活動の属性を表示するようインセンティブ活動プログラム１１２を駆動する方法は、下記の図７および図８の実施形態を参照することができる。１つの実施形態において、インセンティブ活動プログラム１１２の内容に応じて、属性をオプションとして表示してもよい。また、インセンティブ活動プログラム１１２は、複数の属性を含んでもよく、ウェアラブルデバイス１１０＿１は、複数のインセンティブ活動プログラム１１２を含んでもよい。
【００５４】
図７は、本発明の１つの実施形態に係るインセンティブ活動プログラムの概略図を示したものである。図７を参照すると、本実施形態のインセンティブ活動プログラム１１２は、例えば、ペットゲームプログラムである。本実施形態において、生理情報および／または身体活動情報３１０は、睡眠データ３１２およびフィットネス指標３１４を含む。例えば、睡眠データ３１２は、ペットの身長と体重等のペットのサイズに影響を与える。フィットネス指標３１４は、例えば、ペットの体型等のペットの形状に影響を与える。本実施形態において、子供は、指を使ってウェアラブルデバイス１１０＿１のタッチスクリーンを触り、ジェスチャーデータ３５０を生成することによって、タッチジェスチャーを使用してペットの活力等のペットの状態を確認することができる。
【００５５】
本実施形態において、報酬データ３２０は、例えば、累積報酬データ３２２およびランキング報酬データ３２４を含む。累積報酬データ３２２は、例えば、所定の第１ルールを含む。第１ルールに基づいて、子供のクラス内の学習状態、またはグループ内の学習状態に対応する報酬ポイントを計算することができる。ランキング報酬データ３２４は、例えば、所定の第２ルールを含む。第２ルールに基づいて、子供の競争相手または学年のランクに対応する報酬ポイントを計算してもよい。目標設定データ３３０は、例えば、所定の第３ルールを含む。子供の学習目標が達成されたかどうかおよび第３ルールに基づいて、対応する報酬ポイントを計算することができる。本実施形態において、第１ルール、第２ルール、および第３ルールは、同じであっても、または異なっていてもよい。本実施形態において、報酬論理ブロック１２５は、累積報酬データ３２２、ランキング報酬データ３２４、および目標設定データ３３０に基づいて、報酬ポイントを計算し、その報酬ポイントをプログラムエンジン１１５に出力することができる。報酬ポイントは、ペットゲームプログラムに保存することができる。子供は、ペットの属性（パワー、耐力、速度、および知力等）を高めて装飾品を購入し、報酬ポイントを消費してカスタマイズしたペットを作成することができる。あるいは、子供は、報酬ポイントを消費して特別な属性４１０を有するペットを取得してもよい。本実施形態において、子供は、自分がカスタマイズしたペットを使用して、友人のペット４３０と戦闘を楽しむことができる。
【００５６】
本実施形態において、ペットは、子供がペットを飼育し、遊び、対話することができるゲームの一部である。ペットは、猫、犬、魚、または他の動物、またはキャラクター（ポケモンのセレビィ等）であってもよい。本実施形態において、インセンティブ活動プログラム１１２は、少なくとも１つの属性を含む。属性の第１部分は、サイズ、形状、および活力を含む。本実施形態において、サイズ、形状、および活力等の属性は、第１数値（例えば、健康パラメータ）に基づいて調整可能である。属性の第２部分は、パワー、耐力、知力、速度、および装飾品のうちの少なくとも１つを含む。本実施形態において、パワー、耐力、知力、速度、および装飾品等の属性は、第２数値（例えば、報酬ポイント）に基づいて調整可能である。以下、ゲームプログラムの様々な属性についてさらに説明する。１つの実施形態において、ペットのサイズは、異なる成長段階において異なるサイズを有するように設計される。例えば、ペットが次の段階に成長するための栄養は、ウェアラブルデバイス１１０＿１のユーザーの睡眠データ３１２から来る。睡眠データ３１２を対応する健康報酬パラメータ（例えば、ポイント）に変換して、ペットのサイズに影響させることができる。例えば、健康ポイントが多ければ多いほど、ペットのサイズが大きくなる。１つの実施形態において、ペットの形状は、例えば、ウェアラブルデバイス１１０＿１のユーザーのフィットネス指標３１４に基づいて、異なる健康段階において異なる形状を有するよう設計される。フィットネス指標３１４を対応する健康報酬パラメータ（例えば、ポイント）に変換して、ペットの形状に影響させることができる。例えば、フィットネス指標３１４のバランスが良ければ良いほど、ペットの形状もバランスが良くなる。ペットの形状を維持するため、ウェアラブルデバイス１１０＿１のユーザーは、持続的、かつ規則的に運動を行い、バランスのとれたフィットネス指標３１４を維持しなければならない。１つの実施形態において、ペットの活力は、異なるエネルギー段階において異なる活力を有するよう設計される。ウェアラブルデバイス１１０＿１のユーザーは、異なるジェスチャーを使用してペットと対話する、または遊ぶことができる。ユーザーがペットと対話している、またはゲームで遊んでいる時、ペットはより楽しそう、または幸せそうである。ユーザーがペットと対話すればするほど、ペットの活力が増える。１つの実施形態において、報酬ポイントを消費してペットの活力を増やしてもよい。１つの実施形態において、異なるペットが異なる装飾品を有するように設計して、ウェアラブルデバイス１１０＿１のユーザーが報酬を獲得するのを促してもよい。例えば、ユーザーは、より多くの報酬ポイントを獲得して、異なる装飾品と交換するために、クラスで行儀を良くしなければならない。１つの実施形態において、属性の第１部分は、第１数値が閾値よりも小さくならない限り、調整することはできない。例えば、サイズの属性に対応する健康ポイントが閾値よりも小さくなければ、ペットのサイズは変化しない。そのため、第１数値（すなわち、健康報酬パラメータ）を閾値と同じ、またはそれより大きくできるようにするために、生活習慣および／または身体健康活動を改善するよう子供を励ますのに役立つ。
【００５７】
１つの実施形態において、ペットは、戦闘能力の一部として速度の特徴を有するよう設計され、速ければ速いほど、ペットの戦闘ゲームにおいて有利であることを示す。ペットの速度を上げるため、ウェアラブルデバイス１１０＿１のユーザーは、ランニング成績で上位になり、速度を上げるためのポイントを取得しなければならない。１つの実施形態において、ペットは、戦闘能力の一部としてパワーの特徴を有するよう設計され、パワーが増えれば増えるほど、ペットの戦闘ゲームにおいて勝つ確率が高いことを示す。ペットのパワーを増やすため、ウェアラブルデバイス１１０＿１のユーザーは、パワーを必要とするスポーツで上位になり、パワーを増やすためのポイントを取得しなければならない。１つの実施形態において、ペットは、戦闘能力の一部として耐力の特徴を有するよう設計され、強い耐力があればあるほど、ペットの戦闘ゲームにおいて生き残る確率が高いことを示す。ペットの耐力を増やすため、ウェアラブルデバイス１１０＿１のユーザーは、毎日継続して所定の目標に達し、耐力を増やすためのポイントを取得しなければならない。１つの実施形態において、ペットは、戦闘能力の一部として知力の特徴を有するよう設計され、知力が高ければ高いほど、ペットの戦闘ゲームにおいてより多くのスキルを使用する能力があることを示す。ペットの知力を上げるため、ウェアラブルデバイス１１０＿１のユーザーは、学校の報酬項目の成績で上位になり、知力を増やすためのポイントを取得しなければならない。本発明のゲームの属性は、上述した属性に限定されない。本発明のインセンティブ活動に適したゲームまたは活動概念も、これに限定されない。任意の他のゲームまたは活動概念とウェアラブルデバイス１１０＿１またはクラウドサーバー１２０からのデータとの間の接続も、本発明に適したゲームまたは活動概念の延長とみなすことができる。
【００５８】
図８は、本発明の別の実施形態に係るインセンティブ活動プログラムの概略図を示したものである。図８を参照すると、本実施形態のインセンティブ活動プログラム１１２は、例えば、レーシングゲームプログラムである。本実施形態において、インセンティブ活動プログラム１１２は、少なくとも１つの属性を含む。属性の第１部分は、サイズ、速度、および可動性を含む。本実施形態において、サイズ、速度、および可動性等の属性は、第１数値（例えば、健康パラメータ）に基づいて調整可能である。属性の第２部分は、小道具、色、および装飾品のうちの少なくとも１つを含む。本実施形態において、小道具、色、および装飾品等の属性は、第２数値（例えば、報酬ポイント）に基づいて調整可能である。本実施形態において、生理情報および／または身体活動情報３１０は、睡眠データ３１２およびフィットネス指標３１４を含む。睡眠データ３１２を対応する健康報酬パラメータ（例えば、ポイント）に変換して、車のサイズおよび速度に影響させることができる。例えば、健康ポイントが多ければ多いほど、車のサイズが大きくなり、車の速度が速くなる。フィットネス指標３１４を対応する健康報酬パラメータ（例えば、ポイント）に変換して、車の可動性に影響させることができる。例えば、健康ポイントが多ければ多いほど、車の可動性が高くなる。
【００５９】
本実施形態において、報酬論理ブロック１２５は、累積報酬データ３２２、ランキング報酬データ３２４、および目標設定データ３３０に基づいて報酬ポイントを計算し、その報酬ポイントをプログラムエンジン１１５に出力することができる。報酬ポイントは、ゲームプログラムに保存することができる。子供は、報酬ポイントを消費して車の属性（色等）の変更、およびゲームの小道具および装飾品の購入を行い、カスタマイズされた車５２０を作ることができる。あるいは、子供は、報酬ポイントを消費して特別な属性５１０を有する車を取得してもよい。図７および図８のインセンティブ活動プログラムは、説明のために使用しただけであり、本発明を限定する意図はない。
【００６０】
本発明の例示的実施形態において、ウェアラブルデバイス１１０＿１、クラウドサーバー１２０、および電子デバイス１３０＿１、１３０＿２、および１３０＿３の機能ブロックは、集積回路（ＩＣチップ）等の論理回路（ハードウェア）に形成することによって実施されるか、または中央処理装置（Central Processing Unit, CPU）を介してソフトウェアで実施されるかのいずれかである。
【００６１】
図９は、本発明の１つの実施形態に係るウェアラブルデバイスの操作方法のフローチャートを示したものである。図９を参照すると、本実施形態では、ステップＳ１１０において、操作プログラムは、生理情報および／または身体活動情報を分析し、第１数値を出力する。第１数値は、インセンティブ活動プログラムを実行するための第１報酬パラメータを含む。ステップＳ１２０において、第１数値に基づいて、インセンティブ活動プログラムの属性の第１部分を調整することができる。ステップＳ１３０において、第２数値に基づいて、インセンティブ活動プログラムの属性の第２部分を調整することができる。１つの実施形態において、ウェアラブルデバイスの操作方法は、報酬データおよび目標設定データを報酬システムに出力することを含む。報酬システムは、報酬データおよび目標設定データに基づいて第２数値を出力し、第２数値は、インセンティブ活動プログラムを実行するための第２報酬パラメータを含む。また、図１Ａ〜図８に示した実施形態は、本発明の実施形態に係るウェアラブルデバイスの操作方法に関する十分な教示、提案、および実施説明を提供しているため、ここでは説明を省略する。
【００６２】
以上のように、本発明の例示的実施形態は、生理情報および／または身体活動情報または学習の評価を報酬パラメータとして数値化することにより、生活習慣、健康状態（例えば、運動形態）または学習状態を変えて、対応する良いインセンティブ活動の条件を取得し、インセンティブ活動に従事するようウェアラブルデバイスのユーザー（例えば、子供）を促す。ウェアラブルシステムは、ウェアラブルデバイスのユーザーのライフスタイルおよび健康状態の改善を促し、特定の学習または能力発展を達成するようユーザーを励ますのに役立つ。
【００６３】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００６４】
本発明は、ウェアラブルシステム、そのウェアラブルデバイスおよびクラウドサーバー、およびウェアラブルデバイスの操作方法に関するものである。
【符号の説明】
【００６５】
１００、２００、３００、４００  ウェアラブルシステム
１１０＿１、１１０＿２、１１０＿３  ウェアラブルデバイス
１１１  第１保存装置
１１２  インセンティブ活動プログラム
１１３  第２保存装置
１１４  操作プログラム
１１５  プログラムエンジン
１１６  センサーモジュール
１１８  無線通信モジュール
１２０  クラウドサーバー
１２１  ファームウェア更新サービス
１２２  報酬システム
１２３  データソースポータル
１２４  保存装置
１２５  報酬論理ブロック
１２６  ユーザーポータル
１２８  分析エンジン
１３０＿１、１３０＿２、１３０＿３、２３０＿１  電子デバイス
１３４  データ閲覧および設定プログラム
１３８  無線通信モジュール
３１０  生理情報および／または身体活動情報
３１２  睡眠データ
３１４  フィットネス指標
３２０  報酬データ
３２２  累積報酬データ
３２４  ランキング報酬データ
３３０  目標設定データ
３４０  分析結果
３５０  ジェスチャーデータ
４１０  特別な属性
４２０  カスタマイズされたペット
４３０  友人のペット
５１０  特別な属性
５２０  カスタマイズされた車
Ｓ１１０、Ｓ１２０、Ｓ１３０  ステップ
【図１Ａ】
2019087230.tif 000003
【図１Ｂ】
2019087230.tif 000004
【図１Ｃ】
2019087230.tif 000005
【図１Ｄ】
2019087230.tif 000006
【図２】
2019087230.tif 000007
【図３】
2019087230.tif 000008
【図４】
2019087230.tif 000009
【図５】
2019087230.tif 000010
【図６】
2019087230.tif 000011
【図７】
2019087230.tif 000012
【図８】
2019087230.tif 000013
【図９】
2019087230.tif 000014
【外国語明細書】
2019087230000001.pdf